(57)【要約】【課題】ユーザーの実際の経路慣れ・不慣れに応じ且つユーザーの意思に応じた案内を行うことができるようにする。【解決手段】カーナビゲーション装置１は、制御回路２、位置検出器５、地図データ入力器４、操作スイッチ群５、表示装置７、音声出力装置８などを備えている。制御回路２は、前記探索した経路に対するユーザーの慣れ・不慣れを判定する。操作スイッチ群５には前記経路についての案内事項をユーザーが選択するための選択手段が含まれている。前記制御回路２は、この選択手段により選択された案内事項について案内し且つ当該案内事項の詳細度を慣れ・不慣れの判定結果に基づいて変更する。【選択図】図１
2008122196.tif 000002
【特許請求の範囲】
【請求項１】
現在位置から設定された目的地までの経路を地図データ上で探索し、探索した経路についての案内を行うカーナビゲーション装置において、
前記探索した経路に対するユーザーの慣れ・不慣れを判定する判定手段と、
前記経路についての案内事項をユーザーが選択するための選択手段と、
この選択手段により選択された案内事項について案内し且つ当該案内事項の詳細度を前記判定手段の判定結果に基づいて変更することを特徴とするカーナビゲーション装置。
【請求項２】
前記請求項１に記載のカーナビゲーション装置において、
前記選択手段による選択可能な案内事項には、施設名称案内、交差点・信号案内、道路名称案内の少なくとも一つが含まれていることを特徴とするカーナビゲーション装置。
【請求項３】
前記請求項１又は２に記載のカーナビゲーション装置において、
前記判定手段は、探索された経路の走行回数が基準値を上回ること、探索された経路における減速パターンが当該パターンに対応するマッチングデータとマッチングすること、及び、探索された経路におけるレーン変更パターンが当該パターンに対応するマッチングデータとマッチングすること、の少なくとも一つを満足することを条件に、当該探索された経路に対してユーザーが慣れていると判定することを特徴とするカーナビゲーション装置。
【発明の詳細な説明】
【技術分野】
【０００１】
本発明は、現在位置から設定された目的地までの経路を地図データ上で探索し、探索した経路についての案内を行うカーナビゲーション装置に関する。
【背景技術】
【０００２】
従来、カーナビゲーション装置においては、探索した経路を案内する方法は画一的である。これに対処するために、ユーザー（ドライバ）の運転の慣れ・不慣れに応じて案内のレベルを変えるようにしたものがある（例えば特許文献１）。このものでは、ユーザーによっては自分が望む案内がなされないと思う可能性があった。また、ユーザーのカーナビゲーション装置に対する習熟度に応じて案内タイミングを変更するようにしたものもある（例えば特許文献２）。このものでは、運転自体には慣れていることは検知できても、探索された経路を熟知しているかどうかを検知するのは難しいという問題があった。
【特許文献１】特開２００５−２９１７４８号公報
【特許文献２】特開２００３−２６２５３０号公報
【発明の開示】
【発明が解決しようとする課題】
【０００３】
前記特許文献１及び特許文献２にものは、探索した経路についてユーザーの運転の慣れ・不慣れに応じた案内を行う技術が開示されているが、予め決められた案内事項を案内するため、ユーザーの意思を反映した案内とならないことがあった。
【０００４】
本発明は、上述の事情に鑑みてなされたものであり、その目的は、探索された経路について、ユーザーの意思を反映して選択された案内事項を案内できるとともに、当該探索された経路についての慣れ・不慣れの判定結果に応じて案内を行うことができ、もって、ユーザーの実際の経路慣れ・不慣れに応じ且つユーザーの意思に応じた案内を行うことができるカーナビゲーション装置を提供することにある。
【課題を解決するための手段】
【０００５】
請求項１に記載のカーナビゲーション装置によれば、判定手段により、探索した経路に対するユーザーの慣れ・不慣れを判定し、選択手段により、前記経路についての案内事項をユーザーが選択できるようにし、この選択手段により選択された案内事項について案内し且つ当該案内事項の詳細度を前記判定手段の判定結果に基づいて変更するから、ユーザーの探索経路慣れ・不慣れに応じ且つユーザーの意思に応じた案内を行うことができる。
【０００６】
この場合、前記選択手段による選択可能な案内事項に、施設名称案内、交差点・信号案内、道路名称案内の少なくとも一つを含むようにしても良く（請求項２の発明）、このようにすると、施設名称案内、交差点・信号案内、道路名称案内の少なくとも一つを、ユーザーが選択できる。
【０００７】
また、前記判定手段は、探索された経路の走行回数が基準値を上回ること、探索された経路における減速パターンが当該パターンに対応するマッチングデータとマッチングすること、及び、探索された経路におけるレーン変更パターンが当該パターンに対応するマッチングデータとマッチングすること、の少なくとも一つを満足することを条件に、当該探索された経路に対してユーザーが慣れていると判定するようにしても良い（請求項３の発明）。このようにすると、探索された経路に対する慣れ・不慣れを適正に判定することができる。
【発明を実施するための最良の形態】
【０００８】
以下、本発明の一実施例について図面を参照して説明する。図１は、カーナビゲーション装置の電気的構成を示すブロック図である。カーナビゲーション装置１は、マイコンを主体として構成された制御回路２、車両の現在位置を検出するための位置検出器３、地図データ入力器４、操作スイッチ群５、外部メモリ６、カラー液晶ディスプレイ等からなる表示装置７、音声出力装置８、リモコンセンサ９およびリモコン１０から構成されている。
【０００９】
位置検出器３は、車両のピッチ角を検出するためのＧセンサ１１、車両のロール角を検出するためのジヤイロスコープ１２、車両の走行距離を検出する距離センサ１３、人工衛星からの送信電波に基づいて車両の現在位置を検出（測位）するＧＰＳ（Global Positioning System）のためのＧＰＳ受信機１４を有している。各センサ１１〜１４は、それぞれ性質の異なる誤差を有している。このため、制御回路２は、各センサ１１〜１４の検出値を補間しながら用いることにより、車両の現在位置、進行方向、速度、走行距離、現在時刻等を高精度で検出するようになっている。なお、精度によっては、位置検出器３を上述したセンサ１１〜１４の一部のみで構成してもよい。また、ステアリングの回転センサや各転動輪の車輪センサ等を用いてもよい。
【００１０】
地図データ入力器４は、道路地図データ、目印データ、マップマッチング用データ、目的地データ（施設データベース）、交通情報を道路データに変換するためのテーブルデータなどの各種データを記録した地図データ記録メディアからデータを読み出すためのドライブ装置により構成されている。地図データ記録メディアには、ＤＶＤ等の大容量記憶媒体を用いるのが一般的であるが、メモリカード、ハードディスク装置等の媒体を用いてもよい。
【００１１】
上記道路地図データは、道路形状、道路幅、道路名、信号、踏切、建造物、各種施設、地名、地形等のデータを含むとともに、その道路地図を表示装置７の画面上に表示するためのデータを含んでいる。また、目的地データは、駅等の交通機関、レジャー施設、宿泊施設、公共施設等の施設や、小売店、デパート、レストラン等の各種の店舗、住居やマンション、地名などに関する情報からなり、このデータにはそれらの電話番号や住所、緯度および経度等のデータが含まれるとともに、施設を示すランドマーク等を、表示装置７の画面上に道路地図に重ね合せて表示するためのデータを含んで構成されている。
【００１２】
操作スイッチ群５（入力手段に相当）は、詳しく図示はしないが、表示装置７の画面の近傍に設けられたメカニカルスイッチや、表示装置７の画面上に設けられるタッチパネルを含んで構成されている。ユーザー（ドライバ）は、この操作スイッチ群５を用いて、目的地、目的地の検索に必要な情報、後述する制限値Ｌ１、通過点などの入力、および表示装置７の画面や表示態様の切り替え等を行う各種のコマンドの入力を行うようになっている。なお、利用者は、リモコン１０を操作することによってもコマンド等を入力できるようになっている。
【００１３】
外部メモリ６は、フラッシュメモリカード等から構成され、例えば他の規格に対応するためのプログラムソフトが記憶され、あるいは特定のデータ例えば経路案内時に制御回路２が設定した目的地までの経路のデータ等が記憶されるようになっている。
【００１４】
表示装置７の画面には、車両の位置周辺の地図が各種縮尺で表示されるとともに、その表示に重ね合わせて、車両の現在位置と進行方向とを示す現在地マーク（ポインタ）が表示されるようになっている。また、目的地までの経路案内の実行時には、経路案内用の画面が表示されるようになっている。さらに、表示装置７には、利用者が目的地の検索に必要な情報等を入力したり、目的地の検索や設定を行うための入力用の画面や、各種のメッセージ等も表示されるようになっている。
【００１５】
特に、表示装置７には、図６に示すように、経路案内に際して案内事項を選択するための案内事項の表示と、タッチパネルスイッチの表示とを行う。この図６から分かるように、案内事項としては、例えば、施設名称案内、交差点・信号案内、道路名称案内があり、タッチパネルスイッチとして、各案内事項を「する」、「しない」を選択するスイッチが表示される。ユーザーは経路案内を行うに際して、上記案内事項を、好みに応じて選択しておくものである。
【００１６】
制御回路２を構成するマイコンは、ＣＰＵ、メモリ（ＲＡＭ、ＲＯＭ、ＥＥＰＲＯＭ、フラッシュメモリ等）、Ｉ／Ｏなどを備えている。ＣＰＵがＲＯＭ（またはフラッシュメモリ）に記憶されたプログラムを実行することにより、目的地検索手段、経路探索手段、経路案内手段、選択手段として機能する。
【００１７】
ここで、経路探索手段としての機能は、車両の出発地（現在位置）から目的地までの推奨する走行経路を自動計算するものであり、その手法としては、例えばダイクストラ法が用いられている。具体的には、走行経路に沿って移動可能なように、表示装置７の画面に現在地周辺の道路地図を表示するとともに、車両の現在位置と進行方向を示す現在地マークを道路地図に重ね合わせて表示する機能である。この場合、車両の走行に伴って現在地の表示は地図上を移動し、地図は車両の位置に応じてスクロール表示される。このとき、車両の現在地を道路上にのせるマップマッチングが行なわれる。
【００１８】
また、前記制御回路２には、車両が備えた車速センサ１５から車速情報が与えられるようになっている。
次に、本実施例の作用について図２ないし図５も参照して説明する。この図２ないし図５は、経路案内中に、制御回路２によって行われる処理内容を、本発明の要旨に係る部分のみ示すフローチャートである。前記経路案内を開始するまでの、フローチャートは図示していないが、簡単に述べる。ユーザーによって目的地（到着ポイント）が設定されると、制御回路２は、車両の現在位置から上記目的地までの経路を探索し、そして、車両の走行が開始されると位置検出器３より現在位置を取得し、目的地までの案内ポイントの各設定距離（１０ｍ、３００ｍ、７００ｍ）手前に到達したときに、選択された案内事項と、ユーザーの慣れ・不慣れとに基づいて案内ガイダンス（これについては後述する）を行う。
【００１９】
図２では、経路案内時において、当該経路に対するユーザーの慣れ・不慣れを判定する判定手段として制御内容を示している。ステップＰ１では、制御回路２が予め蓄積（記憶）した慣れ・不慣れ判定用の走行データを取得し、ステップＰ２では、当該走行データから、探索された経路の走行回数が予め定められた基準値Ｋ以上であるか否かを判断する。この場合、図７に示すように、案内ポイントを通過するコースごとにカウントしており、探索経路に含まれる案内ポイントを通過するコースが例えばＡ１コースである場合、このＡ１コースの走行回数を基準値Ｋと比較するものであり、別のコースＡ２などの走行回数は比較対象としない。そして、探索された経路の走行回数が基準値Ｋ以上であるときには、ステップＰ３に移行し、基準値Ｋ未満であるときには、ステップＰ６に移行して、不慣れであると判定する。
【００２０】
前記ステップＰ３では、減速パターンとこれに対応するマッチングデータとがマッチングするか（近似するか）否かを判断する。つまり、例えば図８で示す案内ポイントに接近するときにおいて、図９に示すように、制御回路２では、案内ポイントにいたる実車の減速パターンデータＸｓを走行データとして記憶しており、予め定められた通常走行のマッチングデータ（減速パターンに対応するマッチングデータ）Ｓ１、交通情報判断時のマッチングデータＳ２（減速パターンに対応するマッチングデータ）にいずれかと、減速パターンデータＸｓのカーブの形態がほぼマッチングするか否かを判断する。マッチングしなければ、前記ステップＰ６にて不慣れであると判定する。マッチングすれば、ステップＰ４に移行する。
【００２１】
このステップＰ４では、また、レーン変更パターンとこれに対応するマッチングデータとがマッチングするか（近似するか）否か判断する。つまり、図１０に示すように実車のレーン変更パターンデータＸｒを走行データとして記憶しており、このレーン変更パターンデータＸｒと、予め定められたマッチングデータＫｒ（レーン変更パターンに対応するマッチングデータ）とがマッチングするか否かを判断する。マッチングしなければ、前記ステップＰ６にて不慣れであると判定し、マッチングすれば、ステップＰ５に移行して、慣れていると判定する。
【００２２】
上記ステップＰ５、ステップＰ６の判定結果は、図３ないし図５の案内制御に使用される。
この場合、ユーザーは前述した施設名称案内、交差点・信号案内、道路名称案内といった各案内事項を適宜選択しているものとする（選択しない場合には初期選択モードが設定されるものとする）。
【００２３】
図３のステップＱ１では、案内ポイントまでの距離Ｄが第１の設定距離Ｄ１（例えば１０ｍ）未満であるか否かを判断し、「ＮＯ」のとき、ステップＱ２で上記距離Ｄが上記Ｄ１以上で且つ第２の設定距離Ｄ２（例えば３００ｍ）未満であるか否かを判断し、「ＮＯ」のとき、ステップＱ３（図４参照）で上記距離Ｄが前記第２の設定距離Ｄ２以上で第３の設定距離Ｄ３（例えば７００ｍ）未満であるか否かを判断する。
【００２４】
車両走行時においては、案内ポイントに対して遠くから接近することから、通常の場合、最初、ステップＱ３の「ＮＯ」が判断される。このステップＱ３で「ＮＯ」が判断されると、図５のステップＱ４０１に移行し、このステップＱ４０１で交差点・信号案内が選択（ＯＮ）されていることが判断されると、ステップＱ４０２で、案内ポイントまで信号が１個以上あるか否かを判断し、「ＹＥＳ」のときにはステップＱ４０３に移行し、慣れ・不慣れの判定結果に応じた案内を行う。
【００２５】
このステップＱ４０３の案内（表示装置７による表示案内及び音声出力装置８による音声案内）は、
「不慣れ」判定結果が取得されている場合には、信号を使って比較的詳細な案内を行い（例えば、信号○個以上直進です）、
「慣れている」判定結果が取得されている場合には、比較的簡単な案内として設定されたデフォルト案内（この場合距離を使ったデフォルト案内）を行う（例えば、○○km以上直進です）。
【００２６】
前記ステップＱ４０２で、案内ポイントまで信号が１個以上無い（信号無し）と判断されたときには、ステップＱ４０７で案内ポイントまでに交差点が１個以上あるか否かを判断し、１個以上あるときには、ステップＱ４０８に移行し、慣れ・不慣れの判定結果に応じた案内を行う。
【００２７】
このステップＱ４０８の案内は、
「不慣れ」判定結果が取得されている場合には、交差点を使って比較的詳細な案内を行い（例えば、交差点○個以上直進です）、
「慣れている」判定結果が取得されている場合には、距離を使ったデフォルト案内を行う（例えば、○○km直進以上です）。
【００２８】
前記ステップＱ４０７で案内ポイントまでに交差点がないときには、「ＮＯ」に従ってステップＱ４０９に移行し、慣れ・不慣れの判定結果に応じた案内を行う。
このステップＱ４０９の案内は、
「不慣れ」判定結果が取得されている場合には、距離を使って比較的詳細な案内を行い（例えば、○○km直進以上です）、
「慣れている」判定結果が取得されている場合には、距離を使ったデフォルト案内を行う（例えば、○○km直進以上です（この場合「不慣れ」と同じ））。
【００２９】
なお、前記ステップＱ４０１で、交差点・信号案内が選択されていないと判断された場合も、このステップＱ４０９において、前述の慣れ・不慣れの判定結果に応じた案内を行う。
これらステップＱ４０３、ステップＱ４０８、ステップＱ４０９の後、ステップＱ４０４に移行して道路名称案内が選択されているか否かを判断し、選択されていれば、ステップＱ４０５に移行して、この先の案内ポイント通過後に案内可能な別道路に乗り換える経路となっているか否かを判断する。「ＹＥＳ」であれば、ステップＱ４０６に移行して、慣れ・不慣れの判定結果に応じた、道路名称を使った案内を行う。
【００３０】
このステップＱ４０６の案内は、
「不慣れ」判定結果が取得されている場合には、道路名称を使って比較的詳細な案内を行い（例えば、○号線からその先○号線に乗る方向です）、
「慣れている」判定結果が取得されている場合には、デフォルト案内を行う（この場合、案内なし、としている）。
【００３１】
前記ステップＱ４０４で「ＮＯ」のとき、及びステップＱ４０５で「ＮＯ」のときには、ステップＱ１に戻るが、この後、案内ポイントまでの距離が第３の設定距離Ｄ３となるから、このステップＱ１の「ＮＯ」、ステップＱ２の「ＮＯ」、ステップＱ３の「ＹＥＳ」を経てステップＱ３０１に移行することになる。このステップＱ３０１で、交差点・信号案内が選択されているか否かを判断する。選択されていれば、ステップＱ３０２で、案内ポイントに信号があるか否かを判断し、「ＹＥＳ」であれば、ステップＱ３０３で、慣れ・不慣れの判定結果に応じた、信号を使った案内を行う。
【００３２】
このステップＱ３０３の案内は、
「不慣れ」判定結果が取得されている場合には、信号を使った比較的詳細な案内を行い（例えば、２つの信号を直進、３つ目の信号を右方向です）、
「慣れている」判定結果が取得されている場合には、距離を使ったデフォルト案内を行う（例えば、７００m先右方向です）。
【００３３】
前記ステップＱ３０２で「ＮＯ」であったときには、ステップＱ３０７に移行して案内ポイントに交差点があるか否かを判断し、「ＹＥＳ」のときには、ステップＱ３０８に移行して、慣れ・不慣れの判定結果に応じた、交差点を使った案内を行う。
このステップＱ３０８の案内は、
「不慣れ」判定結果が取得されている場合には、交差点を使った比較的詳細な案内を行い（例えば、この先２つの交差点を直進し、３つ目の交差点を右方向です）、
「慣れている」判定結果が取得されている場合には、距離を使ったデフォルト案内を行う（例えば、７００m先右方向です）。
【００３４】
前記ステップＱ３０７で「ＮＯ」と判断されたときにはステップＱ３０９に移行して、慣れ・不慣れの判定結果に応じた案内を行う。
このステップＱ３０９の案内は、
「不慣れ」判定結果が取得されている場合には、距離を使って比較的詳細な案内を行い（例えば、○ｍ先右方向です）、
「慣れている」判定結果が取得されている場合には、距離を使ったデフォルト案内を行う（例えば、７００m先右方向です）。
【００３５】
なお、前記ステップＱ３０１で、交差点・信号案内が選択されていないと判断された場合も、このステップＱ３０９において、前述と同様の慣れ・不慣れの判定結果に応じた案内を行う。
前記ステップＱ３０３、ステップＱ３０８、ステップＱ３０９の後、ステップＱ３０４に移行し、道路名称案内が選択されているか否かを判断し、選択されていれば、ステップＱ３０５に移行して、この先の案内ポイント通過後に案内可能な別道路に乗り換える経路となっているか否かを判断する。「ＹＥＳ」であれば、ステップＱ３０６に移行して、慣れ・不慣れの判定結果に応じた、道路名称を使った案内を行う。
【００３６】
このステップＱ３０６の案内は、
「不慣れ」判定結果が取得されている場合には、道路名称を使って比較的詳細な案内を行い（例えば、○号線に乗る方向です）、
「慣れている」判定結果が取得されている場合には、デフォルト案内を行う（この場合、案内なし、としている）。
【００３７】
前記ステップＱ３０４で「ＮＯ」のとき、及びステップＱ３０５で「ＮＯ」のときには、ステップＱ１に戻るが、この後、案内ポイントまでの距離Ｄが第２の設定距離Ｄ２となるから、このステップＱ１の「ＮＯ」、ステップＱ２の「ＹＥＳ」を経てステップＱ２０１に移行することになる。
このステップＱ２０１で施設名称案内が選択されていれば、ステップＱ２０２に移行して、案内ポイントに案内可能な施設があるか否かを判断し、「ＹＥＳ」であれば、ステップＱ２０３に移行して、慣れ・不慣れの判定結果に応じた、施設名を使った案内を行う。
【００３８】
このステップＱ２０３の案内は、
「不慣れ」判定結果が取得されている場合には、施設名称を使って比較的詳細な案内を行い（例えば、右側に○○のある交差点を右方向です）、
「慣れている」判定結果が取得されている場合には、距離を使ったデフォルト案内を行う（例えば、○○m先右方向です）。
【００３９】
ステップＱ２０２で「ＮＯ」であると、ステップＱ２０４に移行して、交差点・信号案内が選択されているか否かを判断し、選択されていれば、ステップＱ２０５に移行して、案内ポイントに交差点名称があるか否かの判断をし、「ＹＥＳ」であれば、ステップＱ２０６に移行し、慣れ・不慣れの判定結果に応じた、交差点名称を使った案内を行う。
【００４０】
このステップＱ２０６の案内は、
「不慣れ」判定結果が取得されている場合には、交差点名称を使って比較的詳細な案内を行い（例えば、２つ目の○○交差点を右方向です）、
「慣れている」判定結果が取得されている場合には、距離を使ったデフォルト案内を行う（例えば、○○m先右方向です）。
【００４１】
前記ステップＱ２０５で、「ＮＯ」のときには、ステップＱ２０７に移行して、案内ポイントに信号があるか否かを判断し、「ＹＥＳ」であるときにはステップＱ２０８に移行して、慣れ・不慣れの判定結果に応じた、信号を使った案内を行う。
【００４２】
このステップＱ２０８の案内は、
「不慣れ」判定結果が取得されている場合には、信号を使って比較的詳細な案内を行い（例えば、２つ目の信号を右方向です）、
「慣れている」判定結果が取得されている場合には、距離を使ったデフォルト案内を行う（例えば、○○m先右方向です）。
ステップＱ２０７で「ＮＯ」のときには、ステップＱ２０９に移行して、案内ポイントに交差点があるか否かを判断し、「ＹＥＳ」であれば、ステップＱ２１０で、慣れ・不慣れの判定結果に応じた、交差点を使った案内を行う。
【００４３】
このステップＱ２１０の案内は、
「不慣れ」判定結果が取得されている場合には、交差点を使って比較的詳細な案内を行い（例えば、２つ目の交差点を右方向です）、
「慣れている」判定結果が取得されている場合には、距離を使ったデフォルト案内を行う（例えば、○○m先右方向です）。
【００４４】
前記ステップＱ２０９で「ＮＯ」と判断されたとき、及び前記ステップＱ２０４で「ＮＯ」と判断されたときにはステップＱ２１１に移行して、慣れ・不慣れの判定結果に応じた案内を行う。
【００４５】
このステップＱ２１１の案内は、
「不慣れ」判定結果が取得されている場合には、距離を使って比較的詳細な案内を行い（例えば、○ｍ先右方向です）、
「慣れている」判定結果が取得されている場合には、距離を使ったデフォルト案内を行う（例えば、○○m先右方向です（この場合「不慣れ」と同じ））。
【００４６】
前記ステップＱ２０６、ステップＱ２０８、ステップＱ２１０、ステップＱ２１１の後は、ステップＱ１に戻る。この後は、案内ポイントまでの距離Ｄが第１の設定距離Ｄ１未満となることから、このステップＱ１で「ＹＥＳ」となり、ステップＱ１０１に移行し、この場合、前記案内事項の選択の有無に関係なく、且つ、慣れ・不慣れの判定結果に関係なく、案内ポイント通過案内を行う。この案内ポイント通過案内は、例えば音声でなく「ピー」といった合図音などで行う。
【００４７】
このような本実施例によれば、探索した経路に対するユーザー（ドライバ）の慣れ・不慣れを判定し、且つ、前記経路についての案内事項をユーザーが選択できるようにし、選択された案内事項について案内し且つ当該案内事項の詳細度を、慣れ・不慣れの判定結果に基づいて変更するから、ユーザーの探索経路慣れ・不慣れに応じ且つユーザーの意思に応じた案内を行うことができる。
【００４８】
この場合、本実施例によれば、前記選択可能な案内事項として、施設名称案内、交差点・信号案内、道路名称案内を選択できるようにしたので、施設名称案内、交差点・信号案内、道路名称案内について、ユーザーが任意に選択できて、便利である。
【００４９】
また、本実施例によれば、「慣れている」と判定する条件を、Ａ．探索された経路の走行回数が予め定められた基準値Ｋ以上であること、Ｂ．減速パターンデータＸｓと通常走行のマッチングデータＳ１あるいは、交通情報判断時のマッチングデータＳ２のいずれかとマッチングすること、Ｃ．レーン変更パターンＸｒとマッチングデータＫｒとがマッチングすること、のいずれも満足することを条件としたから、当該探索された経路に対するユーザーの慣れ・不慣れを正確に判定することができる。
【００５０】
なお、本発明は、上記実施例に限られず、次のように変更して実施しても良い。例えば、前記選択可能な案内事項としては、施設名称案内、交差点・信号案内、道路名称案内の少なくとも一つを含むようにしても良い。また、「慣れている」と判定する条件を、前記Ａ、Ｂ、Ｃのいずれも満足することとしたが、これはＡ、Ｂ、Ｃのうち少なくとも一つを満足することを「慣れている」の判定条件としても良く、これによっても、当該探索された経路に対するユーザーの慣れ・不慣れを適正に判定することができる。
【図面の簡単な説明】
【００５１】
【図１】本発明の一実施例を示すカーナビゲーション装置の電気的構成のブロック図
【図２】慣れ・不慣れ判定を説明するためのフローチャート
【図３】案内を説明するためのフローチャート（その１）
【図４】案内を説明するためのフローチャート（その２）
【図５】案内を説明するためのフローチャート（その３）
【図６】選択される案内事項を表示した表示画面を示す図
【図７】走行回数を説明するための案内ポイント部分の図
【図８】減速パターンを説明するための案内ポイント部分の図
【図９】減速パターンとマッチングデータとを説明するための図
【図１０】レーン変更パターンとマッチングデータとを説明するための図
【符号の説明】
【００５２】
図面中、１はカーナビゲーション装置、２は制御装置（判定手段）、３は位置検出器、５は操作スイッチ群（選択手段）、７は表示装置、８は音声出力装置を示す。
【図１】
2008122196.tif 000003
【図２】
2008122196.tif 000004
【図３】
2008122196.tif 000005
【図４】
2008122196.tif 000006
【図５】
2008122196.tif 000007
【図６】
2008122196.tif 000008
【図７】
2008122196.tif 000009
【図８】
2008122196.tif 000010
【図９】
2008122196.tif 000011
【図１０】
2008122196.tif 000012